(57)【要約】      （修正有）【課題】発光ユニットがエンジン運転時に自動的に点灯されエンジン停止時に自動的に消灯されることで無駄な操作手間を省き、前照灯，尾灯，車幅灯などを含む照明ユニットの点灯に同期して発光ユニットを消灯させることで車載バッテリーに加わる負荷を軽減し、かつ、シガーソケットの使用制限を解消して装置コストの削減を可能にした車両視認性向上装置を提供する。【解決手段】車載バッテリー１１の電力で点灯するＬＥＤ１２ａを備える発光ユニット１２と、発光ユニット１２と車載バッテリー１１とを接続する第１通電路１３と第１通電路１３をオンオフ制御する第１スイッチング機構と、車両のエンジン運転時の運転時電圧を検出して第１スイッチング機構にオン指令信号を出力し、車両のエンジン停止時の停止時電圧を検出して第１スイッチング機構にオフ指令信号を出力する電圧検出センサ１５とを備える。【選択図】図２
0003150469.tif 000002
【実用新案登録請求の範囲】
【請求項１】
車載バッテリーに接続されたＬＥＤ光源を備える発光ユニットと、この発光ユニットと前記車載バッテリーとを接続する第１通電路と、前記第１通電路に介装されて該第１通電路をオンオフ制御する第１スイッチング機構と、車両のエンジン停止時の前記車載バッテリー端子間のエンジン停止時電圧と、車両のエンジン運転時の前記車載バッテリー端子間のエンジン運転時電圧とを検出するとともに、前記エンジン運転時電圧の検出時には前記第１スイッチング機構にオン指令信号を出力して該第１スイッチング機構を閉じ、かつ、前記エンジン停止時電圧の検出時には前記第１スイッチング機構にオフ指令信号を出力して該第１スイッチング機構を開く電圧検出センサとを備え、前記第１スイッチング機構は、前記車載バッテリーに接続された光源を備えた照明ユニットと、この照明ユニットと前記車載バッテリーとを接続する第２通電路に介装された第２スイッチング機構のオン制御に基づいて開き、該第２スイッチング機構のオフ制御に基づいて閉じるように構成されていることを特徴とする車両視認性向上装置。
【請求項２】
前記電圧検出センサが、電圧パルスセンサによって構成されている請求項１に記載した車両視認性向上装置。
【請求項３】
前記発光ユニットが、横並びに配列された複数個のＬＥＤを備えている請求項１または請求項２に記載した車両視認性向上装置。
【請求項４】
前記発光ユニットが、外部から視認可能な車両の左右略対称位置に取付け可能な一対のユニット要素を備えている請求項１ないし請求項３のいずれか１項に記載されている車両視認性向上装置。
【請求項５】
前記電圧パルスセンサが、電圧パルス感度加減用の感度調整ネジを備えている請求項２に記載した車両視認性向上装置。
【考案の詳細な説明】
【技術分野】
【０００１】
本考案は、車両視認性向上装置、詳しくは、歩行者や周囲の車両（自転車やバイク，自動車など）からの自車の視認性を高めることのできる車両視認性向上装置に関する。
【背景技術】
【０００２】
歩行者や周囲の車両からの自車の視認性を高めるとともに、車載バッテリーの負荷を軽減して延命を図る車両視認性向上装置として、特許文献１に記載の技術が知られている。
【先行技術文献】
【特許文献】
【０００３】
【特許文献１】実用新案登録第３１０８３７５号
【考案の概要】
【考案が解決しようとする課題】
【０００４】
前記特許文献１に記載の車両視認性向上装置は、図５に示すように、車載バッテリー１の電力で点灯するＬＥＤを備える発光ユニット２と、車載バッテリー１と発光ユニット２とを接続する通電路に介在された受信器３と、自動車のシガーソケットに着脱可能な送信器４とを備え、受信器３は送信器４から出力される制御信号を受信して通電路をオンオフ制御するスイッチング機構を備える。
【０００５】
この車両視認性向上装置によれば、明るい昼間に周囲からの自車の視認性を発光によって向上させるものでありながら、消費電力が少ない特性を有するＬＥＤを光源として採用した発光ユニット２を備えているので、前照灯の点灯を不要にすることで昼間走行時の車載バッテリー１の負荷を軽減して、車載バッテリー１の延命を図れる効果が奏される。また、発光ユニット２に対する通電路を形成するための電気コードの引きまわし箇所が車載バッテリー１を設置しているエンジンルームだけで済み、車室内運転席近傍での電気コードの引きまわしを回避できることによって、電気コードが運転操作に全く影響しないという効果が奏される。
【０００６】
ところが、送信器４をシガーソケットに着脱したり、送信器４に備わっているプッシュボタンをオン・オフ操作する手間が要求されるばかりか、シガーソケットの使用も制限される。しかも、必要とされる送信器４および受信器３の価格に相当して装置コストが若干高くなるなどの問題を有している。
【０００７】
本考案は上記の実情に鑑みてなされたものであって、車両の所定位置に設置後は、発光ユニットがエンジン運転時に自動的に点灯されエンジン停止時に自動的に消灯されることで無駄な操作手間を省き、前照灯，尾灯，車幅灯などを含む照明ユニットの点灯に同期して発光ユニットを消灯させることで車載バッテリーに加わる負荷を軽減し、かつ、シガーソケットの使用制限を解消するとともに、装置コストの削減を可能にした車両視認性向上装置の提供を目的とするものである。
【課題を解決するための手段】
【０００８】
前記目的を達成するために、本考案に係る車両視認性向上装置は、車載バッテリーに接続されたＬＥＤ光源を備える発光ユニットと、この発光ユニットと前記車載バッテリーとを接続する第１通電路と、前記第１通電路に介装されて該第１通電路をオンオフ制御する第１スイッチング機構と、車両のエンジン停止時の前記車載バッテリー端子間のエンジン停止時電圧と、車両のエンジン運転時の前記車載バッテリー端子間のエンジン運転時電圧とを検出するとともに、前記エンジン運転時電圧の検出時には前記第１スイッチング機構にオン指令信号を出力して該第１スイッチング機構を閉じ、かつ、前記エンジン停止時電圧の検出時には前記第１スイッチング機構にオフ指令信号を出力して該第１スイッチング機構を開く電圧検出センサとを備え、前記第１スイッチング機構は、前記車載バッテリーに接続された光源を備えた照明ユニットと、この照明ユニットと前記車載バッテリーとを接続する第２通電路に介装された第２スイッチング機構のオン制御に基づいて開き、該第２スイッチング機構のオフ制御に基づいて閉じるように構成されていることを特徴としている。
【０００９】
これによれば、まず、車両の適所に発光ユニットを取付けるとともに、車載バッテリーに第１通電路を電気的に接続して車両視認性向上装置を車両に装備する。車両の走行に際してエンジンを始動すると、電圧検出センサはエンジン運転時電圧を検出して、第１スイッチング機構にオン指令信号を出力し該第１スイッチング機構を閉じて第１通電路を通電状態にする。車両走行の時間帯がおおよそ日の出から日没までの間（以下の説明では昼間という）であれば、前照灯，尾灯，車幅灯などを含む照明ユニットの点灯が不要であり、したがって、第２スイッチング機構はオフ状態に保持されているので、前記第１通電路の通電状態が保持されて発光ユニットは自動的に点灯する。
【００１０】
発光ユニットの点灯状態で昼間走行した車両の運転終了時にエンジンを停止すると、電圧検出センサはエンジン停止時電圧を検出して、第１スイッチング機構にオフ指令信号を出力し、該第１スイッチング機構を開いて第１通電路の通電を遮断して発光ユニットを自動的に消灯する。
【００１１】
一方、車両の走行時間帯が発光ユニットを点灯している昼間を経ておおよそ日没から日の出までの間（以下の説明では夜間という）の時間帯まで延長された場合、たとえば、運転者の手動操作による第２スイッチング機構のオン制御で第２通電路が通電され、前照灯，尾灯，車幅灯などを含む照明ユニットが点灯される。これに基づいて第１スイッチング機構が開き発光ユニットを自動的に消灯させる。
【００１２】
照明ユニットの点灯状態で夜間走行する車両の運転終了時に、まず、運転者の手動操作により第２スイッチング機構をオフ制御すると第２通電路の通電が遮断されて、前照灯，尾灯，車幅灯などを含む照明ユニットが消灯する。これに基づいて第１スイッチング機構が閉じて発光ユニットを自動的に点灯させる。発光ユニットは前述の理由によりエンジンを停止することで自動的に消灯される。
【００１３】
他方、夜間の走行に際してエンジンを始動すると、前述の理由により発光ユニットは自動的に点灯する。車両の発進に際して、たとえば、運転者の手動操作による第２スイッチング機構のオン制御で第２通電路を通電し、前照灯，尾灯，車幅灯などを含む照明ユニットを点灯すると、前述の理由により発光ユニットは自動的に消灯する。
【００１４】
発光ユニットの光源として、消費電力が少ない特性を備えたＬＥＤを用いているので、前照灯を点灯して車両の視認性を向上させる手法と比較して車載バッテリーに加わる負荷が大幅に軽減される。
【００１５】
本考案では、前記電圧検出センサを電圧パルスセンサによって構成しているので、エンジンの運転時と停止時の電圧変動が微弱であっても、これを高感度で検出して、発光ユニットを正確に点灯または消灯させることができる。
【００１６】
本考案では、前記発光ユニットを横並びに配列された複数個のＬＥＤが備わっている構成とすることで、各ＬＥＤが点灯することによって横長の線状発光状態が得られて視認性を高められる利点がある。
【００１７】
本考案では、前記発光ユニットが、外部から視認可能な車両の左右略対称位置に取付け可能な一対のユニット要素を備えていることが望ましい。これによれば、車両に発光ユニットを取り付けた場合、その発光ユニットが車両の外観のバランス性を損なわず、しかも、車両の左右どちら側からの視認性も良好に確保されるようになる。
【００１８】
本考案では、前記電圧パルスセンサが、電圧パルス感度調整用の感度調整ネジを備えていることが望ましい。これによると、感度調整ネジを右または左に回動させる簡単な操作によって、エンジン運転時とエンジン停止時の電圧変動に対して電圧検出センサの感度を好適に対応させて、エンジンの運転時と停止時の電圧変動をより一層正確に検出することができる。
【考案の効果】
【００１９】
本考案に係る車両視認性向上装置は、車両の所定箇所に設置後は、発光ユニットがエンジン運転時に自動的に点灯されエンジン停止時に自動的に消灯されるので無駄な操作手間を省ける。また、昼間走行時に周囲からの車両の視認性を発光ユニットの点灯によって向上させるものでありながら、該発光ユニットは消費電力の少ないＬＥＤを光源としていることと、前照灯，尾灯，車幅灯などを含む照明ユニットの点灯に同期して消灯させることとによって、車載バッテリーに加わる負荷を軽減して車載バッテリーの延命を図れる。しかも、シガーソケットの使用制限が解消されるとともに、送信器や受信器が不要になるので装置コストの削減を図れる。
【図面の簡単な説明】
【００２０】
【図１】本考案に係る車両視認性向上装置の発光ユニットの取付け状態の一実施形態を示す概略正面図である。
【図２】本考案に係る車両視認性向上装置の一実施形態の構成図である。
【図３】本考案に係る車両視認性向上装置の一実施形態の配線図例である。
【図４】車載バッテリーの電圧変動特性例を示す説明図である。
【図５】従来例の説明図である。
【考案を実施するための形態】
【実施例】
【００２１】
図１〜図３において、車両視認性向上装置１０は、車載バッテリー１１に接続されたＬＥＤ光源を備える発光ユニット１２と、この発光ユニット１２と車載バッテリー１１の陽極１１ａと陰極１１ｂとを接続する第１通電路１３と、第１通電路１３に介装されて該第１通電路１３をオンオフ制御する第１スイッチング機構１４と、該第１スイッチング機構１４にオン指令信号を出力してこれを閉じたり、第１スイッチング機構１４にオフ指令信号を出力してこれを開く電圧検出センサ１５とを備え、発光ユニット１２を除く第１通電路１３、第１スイッチング機構１４および電圧検出センサ１５は、車載バッテリー１１と同様に車両１９のボンネット１９ｂ下面のエンジンルーム（図示省略）内に適宜装備される。そして、第１スイッチング機構１４は、車載バッテリー１１に接続された前照灯１６ａ，車幅灯１６ｂ，尾灯（図示省略）などの光源を備えた照明ユニット１６と、この照明ユニット１６と車載バッテリー１１とを接続する第２通電路１７に介装されている第２スイッチング機構１８のオン制御に基づいて開き、該第２スイッチング機構１８のオフ制御に基づいて閉じるように構成されており、電圧検出センサ１５は、車載バッテリー１１の陽極１１ａと陰極（アース）１１ｂ間の電圧を検出する電圧パルスセンサからなり、電圧パルス感度調整用の感度調整ネジ１５ａを備えている。
【００２２】
車載バッテリー１１の陽極１１ａと陰極１１ｂ間の電圧は、車両１９のエンジン停止時とエンジン運転時とでは異なる特性を示す。たとえば、図４（ａ）のように車両１９のエンジン停止時間帯（0〜ｔ1、ｔ２→）でのエンジン停止時電圧Ｖ0（たとえば１２Ｖ）は、車両１９のエンジン運転時間帯（ｔ１〜ｔ２）において殆どがエンジン停止時電圧Ｖ0と最高電圧Ｖ1（たとえば１４〜１５Ｖ程度）との間で鋸刃波形を呈するエンジン運転時電圧Ｖｙに変動したり、図４（ｂ）のように、車両１９のエンジン運転時間帯（ｔ１〜ｔ２）において殆どが前記最高電圧Ｖ1よりも低く、かつ、前記エンジン停止時電圧Ｖ0よりも高い高域中間電圧Ｖ2（たとえば１３Ｖ程度）と最低電圧Ｖ3（たとえば１０〜９Ｖ程度）よりも高く、かつ、前記エンジン停止時電圧Ｖ0よりも低い低域中間電圧Ｖ4（たとえば１１Ｖ程度）との間で鋸刃波形を呈するエンジン運転時電圧Ｖｙ1に変動したり、あるいは、図４（ｃ）のように、車両１９のエンジン運転時間帯（ｔ１〜ｔ２）において殆どがエンジン停止時電圧Ｖ0と最低電圧Ｖ3との間で鋸刃波形を呈するエンジン運転時電圧Ｖｙ2に変動する特性を示す。
【００２３】
前記エンジン停止時電圧Ｖ0情報と前記エンジン運転時電圧Ｖｙ情報，Ｖｙ1情報，Ｖｙ2情報は、あらかじめ図３に示すマイクロコンピュータ（マイコン）２０内部の判断手段２０ａに記憶させる。電圧検出センサ１５によって検出した電圧情報は前記判断手段２０ａに入力される。判断手段２０ａは、入力された電圧情報がエンジン運転時電圧Ｖｙ，Ｖｙ1，Ｖｙ2のいずれかであると判断した場合には、この判断に基づいて第１スイッチング機構１４にオン指令信号を出力してこれを閉じ、入力された電圧情報がエンジン停止時電圧Ｖ0であると判断した場合には、この判断に基づいて第１スイッチング機構１４にオフ指令信号を出力してこれを開く。また、第２通電路１７に介装された第２スイッチング機構１８がオン制御された信号はマイコン２０の第１スイッチング機構変換手段２０ｂに入力される。第１スイッチング機構変換手段２０ｂは、入力された第２スイッチング機構１８のオン制御信号に基づいて第１スイッチング機構１４にオフ指令信号を出力してこれを開き、第２スイッチング機構１８がオフ制御された信号はマイコン２０の第１スイッチング機構変換手段２０ｂに入力され、第１スイッチング機構変換手段２０ｂは、入力された第２スイッチング機構１８のオフ制御信号に基づいて第１スイッチング機構１４にオン指令信号を出力してこれを閉じる。
【００２４】
図２に示すように、電圧検出センサ１５には、車載バッテリー１１の陽極１１ａおよび陰極１１ｂの各端子に接続される２本のリード線２１，２２がコネクター２３を介して接続されていて、各リード線２１，２２間の電圧を検出し、一方のリード線２１にはヒューズボックス２４を介装して過電流が流れるのを防止している。また、電圧検出センサ１５からは、車載バッテリー１１の陽極１１ａおよび陰極１１ｂの各端子に接続された状態を保持してコネクター２３を介して２本のリード線２５，２６からなる第１通電路１３が導出され、この第１通電路１３には、該第１通電路１３をオンオフ制御する第１スイッチング機構１４（図３参照）が介装されるとともに、コネクター２７，２８と２本のリード線２９．３０を介してＬＥＤ光源を備える２つの発光ユニット１２が接続される。
【００２５】
各発光ユニット１２を横並びに配列された複数個のＬＥＤ１２ａが備わっている構成とすることで、各ＬＥＤ１２ａが点灯することによって横長の線状発光状態が得られて視認性を高めることができる。また、発光ユニット１２は、同一の形状および構成を備える２つのユニット要素１２Ａ，１２Ｂを備えていて、各ユニット要素１２Ａ，１２Ｂが図１に示すように車両１９のフロントバンパー１９ａの左右対称位置などに取付けられる。これにより、車両１９の外観のバランス性を損なわず、しかも、車両１９の左右どちら側からの視認性も良好に確保されるようになる。発光ユニット１２の取付けは、粘着テープ、取付けビス、その他の取付け具を使用して行うことができる。
【００２６】
前記構成の車両視認性向上装置１０によれば、車両１９の走行に際してエンジンを始動すると、電圧検出センサ１５は図４（ａ）〜（ｃ）に示すエンジン運転時電圧Ｖｙ，Ｖｙ1，Ｖｙ2のいずれかを検出する。電圧検出センサ１５によって検出したエンジン運転時電圧Ｖｙ，Ｖｙ1，Ｖｙ2のいずれかはマイコン２０内部の判断手段２０ａに入力される。判断手段２０ａは、入力された電圧情報がエンジン運転時電圧Ｖｙ，Ｖｙ1，Ｖｙ2のいずれかであると判断し、この判断に基づいて第１スイッチング機構１４にオン指令信号を出力してこれを閉じて第１通電路１３を通電状態にする。車両走行の時間帯が昼間で前照灯１６ａ，尾灯（図示せず），車幅灯１６ｂなどを含む照明ユニット１６の点灯が不要であり、したがって、第２スイッチング機構１８はオフ状態に保持されていると、第１通電路１３の通電状態が保持されて発光ユニット１２は自動的に点灯する。
【００２７】
発光ユニット１２の点灯状態で昼間走行した車両１９の運転終了時にエンジンを停止すると、電圧検出センサは図４（ａ）〜（ｃ）のエンジン停止時電圧Ｖ0を検出する。電圧検出センサ１５によって検出したエンジン停止時電圧Ｖ0はマイコン２０内部の判断手段２０ａに入力される。判断手段２０ａは、入力された電圧情報がエンジン停止時電圧Ｖ0であると判断し、この判断に基づいて第１スイッチング機構１４にオフ指令信号を出力してこれを開き第１通電路１３の通電を遮断し、発光ユニット１２を自動的に消灯する。
【００２８】
一方、車両１９の走行時間帯が発光ユニット１２を点灯している昼間を経て夜間まで延長された場合、たとえば、運転者の手動操作による第２スイッチング機構１８のオン制御で第２通電路１７が通電され、前照灯１６ａ，尾灯（図示せず），車幅灯１６ｂなどを含む照明ユニット１６が点灯される。第２スイッチング機構１８がオン制御された信号はマイコン２０の第１スイッチング機構変換手段２０ｂに入力される。第１スイッチング機構変換手段２０ｂは、入力された第２スイッチング機構１８のオン制御信号に基づいて第１スイッチング機構１４にオフ指令信号を出力してこれを開き、発光ユニット１２を自動的に消灯する。
【００２９】
照明ユニット１６の点灯状態で夜間走行する車両１９の運転終了時に、まず、運転者の手動操作により第２スイッチング機構１８をオフ制御すると第２通電路１７の通電が遮断されて、前照灯１６ａ，尾灯（図示せず），車幅灯１６ｂなどを含む照明ユニット１６が消灯する。第２スイッチング機構１８がオフ制御された信号はマイコン２０の第１スイッチング機構変換手段２０ｂに入力される。第１スイッチング機構変換手段２０ｂは、入力された第２スイッチング機構１８のオフ制御信号に基づいて第１スイッチング機構１４にオン指令信号を出力してこれを閉じ、発光ユニット１２を自動的に点灯させる。発光ユニット１２は前述の理由によりエンジンを停止することで自動的に消灯される。
【００３０】
他方、夜間の走行に際してエンジンを始動すると、前述の理由により発光ユニット１２は自動的に点灯する。車両１９の発進に際して、たとえば、運転者の手動操作による第２スイッチング機構１８のオン制御で第２通電路１７を通電し、前照灯１６ａ，尾灯（図示せず），車幅灯１６ｂなどを含む照明ユニット１６を点灯すると、前述の理由により発光ユニット１２は自動的に消灯する。
【００３１】
発光ユニット１２の光源として、消費電力が少ない特性を備えたＬＥＤ１２ａを用いているので、前照灯１６ａを点灯して車両１９の視認性を向上させる手法と比較して車載バッテリー１１に加わる負荷が大幅に軽減される。
【００３２】
また、電圧検出センサ１５を電圧パルスセンサによって構成しているので、エンジンの運転時と停止時の電圧変動が微弱であっても、これを高感度で検出して、発光ユニット１２を正確に点灯または消灯させることができるばかりか、電圧パルスセンサからなる電圧検出センサ１５が、電圧パルス感度調整用の感度調整ネジ１５ａを備えていることにより、感度調整ネジ１５ａを右または左に回動させる簡単な操作によって、エンジンの運転時と停止時の電圧変動に対して電圧検出センサ１５の感度を好適に対応させて、エンジンの運転時と停止時の電圧変動をより一層正確に検出することができる。
【００３３】
以上のように、本考案に係る車両視認性向上装置は、発光ユニット１２がエンジンの運転時に自動的に点灯され、エンジン停止時には自動的に消灯されることで無駄な操作手間が省かれ、前照灯１６ａ，尾灯（図示せず），車幅灯１６ｂなどを含む照明ユニット１６の点灯に基づいて発光ユニット１２を消灯させることで車載バッテリー１１に加わる負荷を軽減でき、しかも、シガーソケットの使用制限を解消するとともに、送信器および受信器が不要であることにより装置コストを削減することができる。
【産業上の利用可能性】
【００３４】
ＬＥＤ１２ａを光源とする２つの発光ユニット１２を自動車（車両）１９のフロントバンパー１９ａやリアバンパー（図示せず）などの左右対称位置に取付けるともに、第１通電路１３、第１スイッチング機構１４および電圧検出センサ１５は、車載バッテリー１１と同様にボンネット下面のエンジンルーム内に適宜装備することで、昼間走行車両１９の視認性を高める機能を発揮する。
【符号の説明】
【００３５】
１０  車両視認性向上装置
１１  車載バッテリー
１２  発光ユニット
１２Ａ  ユニット要素
１２Ｂ  ユニット要素
１２ａ  ＬＥＤ
１３  第１通電路
１４  第１スイッチング機構
１５  電圧パルスセンサ（電圧検出センサ）
１６  照明ユニット
１７  第２通電路
１８  第２スイッチング機構
【図１】
0003150469.tif 000003
【図２】
0003150469.tif 000004
【図３】
0003150469.tif 000005
【図４】
0003150469.tif 000006
【図５】
0003150469.tif 000007